(57)【特許請求の範囲】
【請求項１】
第一の樹脂材料を用いた一次成形により形成される有色の一次成形体と、第二の樹脂材料を用いた二次成形により形成されて、該一次成形体に対して、意匠面とは反対側の面において一体的に接合される無色透明な二次成形体とからなる二色成形品の製造方法であって、
前記一次成形体を与える一次成形キャビティを形成すると共に、該一次成形キャビティの内面からなるキャビティ面のうちで、該一次成形体の前記二次成形体との接合面を形成するキャビティ面部分において開口して、該一次成形キャビティに連通する第一のゲートを、ピンゲートの形態において形成する工程と、
前記第一の樹脂材料として、光不透過の有色の樹脂材料を用い、かかる第一の樹脂材料を、溶融状態で、前記第一のゲートを通じて、前記一次成形キャビティ内に射出充填して、該一次成形キャビティ内で前記一次成形体を形成する工程と、
前記二次成形体を与える二次成形キャビティを、前記一次成形体が内部に収容された状態で形成すると共に、該二次成形キャビティの内面からなるキャビティ面のうちで、該二次成形体の前記意匠面とは異なる面を形成するキャビティ面部分において開口して、該二次成形キャビティに連通する第二のゲートを形成する工程と、
前記第二の樹脂材料として、前記第一の樹脂材料よりも溶融状態での流動性の高い樹脂材料を用い、かかる第二の樹脂材料を、溶融状態で、前記第二のゲートを通じて、前記二次成形キャビティ内に射出充填して、該二次成形キャビティ内で前記二次成形体を形成すると共に、該二次成形キャビティ内に収容された前記一次成形体に対して、該二次成形体を一体的に接合する工程と、
を含むことを特徴とする二色成形品の製造方法。
【請求項２】
前記一次成形体が、光不透過の有色の枠体であり、且つ前記二次成形体が、該枠体の開口部の全体を覆いつつ、該枠体の開口部の周縁部に一体的に接合される無色透明な被覆体である請求項１に記載の二色成形品の製造方法。
【発明の詳細な説明】
【技術分野】
【０００１】
本発明は、二色成形品の製造方法に係り、特に、有色の一次成形体と無色透明の二次成形体とが互いに一体的に接合されてなる二色成形品を有利に製造する方法に関するものである。
【背景技術】
【０００２】
従来から、特性や色等の種類が互いに異なる樹脂材料を用いて得られた二つの部材が一体化せしめられてなる、所謂複合樹脂製品が、例えば、自動車部品や電気製品の部品、或いは各種意匠製品等に、多く使用されてきている。そして、このような複合樹脂製品の製造方法の一種として、射出成形を利用した二色成形（二色射出成形）により、目的とする複合樹脂製品を二色成形品として製造する方法が、知られている。
【０００３】
すなわち、この二色成形品の製造方法は、よく知られているように、先ず、互いに型合せされた第一の型と第二の型との間に一次成形キャビティを形成すると共に、この一次成形キャビティに連通する第一のゲートを形成した後、かかる第一のゲートを通じて、一次成形キャビティ内に第一の樹脂材料を射出充填することにより、一次成形体を形成する。次いで、この一次成形体を、例えば第一の型内に収容、保持させた状態で、第一の型と第二の型とを型開きした後、第二の型とは別の第三の型を第一の型に型合わせすることにより、それら第一の型と第三の型との間に、一次成形体が内部に収容された二次成形キャビティを形成すると共に、この二次成形キャビティに連通する第二のゲートを形成する。そして、その後、二次成形キャビティ内に、第一の樹脂材料とは特性や色等の種類の異なる第二の樹脂材料を射出充填して、二次成形体を形成すると共に、それを二次成形キャビティ内に収容された一次成形体に対して一体的に接合し、以て、目的とする二色成形品を得るものである（例えば、下記特許文献１参照）。このような手法によれば、一次成形体と二次成形体とが一体的に接合されてなる二色成形品が、極めて容易に且つ効率的に製造され得るのである。
【０００４】
ところで、各種の計器や画面のカバー等のような二色成形品、つまり、有色の枠体（一次成形体）に対して、無色透明な被覆体（二次成形体）が、枠体の開口部の全体を覆いつつ、意匠面となる表面とは反対の裏面において、枠体の開口部の周縁部に一体的に接合されてなる二色成形品を、上記の如き従来手法にて製造する際には、通常、第一のゲートが、一次成形キャビティの内面からなるキャビティ面（第一及び第二の型のそれぞれのキャビティ形成面）のうちで、枠体における透明な被覆体の裏面との接合面とは異なる側面を形成するキャビティ面部分に、サイドゲートの形態を有して形成される。また、第二のゲートも、被覆体の意匠面たる表面とは異なる側面を形成するキャビティ面部分に、サイドゲートの形態において形成される。これによって、最終的に得られる二色成形品の被覆体の意匠面に、ゲート跡（被覆体の成形後に、ゲートランドやランナ、スプルー等の内部で樹脂材料が固化せしめられて、被覆体に一体化された状態で形成される非製品部分を切除したときに、ゲートの位置に残存せしめられる切除跡）が形成されることや、透明な被覆体の意匠面を通じて、枠体のゲート跡（枠体の成形後に、ゲートランドやランナ、スプルー等の内部で樹脂材料が固化せしめられて、枠体に一体化された状態で形成される非製品部分を切除したときに、ゲートの位置に残存せしめられる切除跡）が外部から視認されるようなことが未然に回避され、以て、二色成形品のゲート跡による意匠性（見栄え）の低下の防止が、図られている。
【０００５】
ところが、そのように、第一のゲートと第二のゲートとがサイドゲートの形態をもって形成される場合には、成形された二色成形品（カバー）に対して、第一及び第二の各ゲートやゲートランド、ランナ、スプルー等の内部で固化せしめられた大きなバリ状の非製品部分が、一次成形体（枠体）と二次成形体（被覆体）とに一体化されたままの状態で残されることになる。
【０００６】
そのため、無色透明の二次成形体が、その意匠面とは反対側の面において、有色の一次成形体に対して一体的に接合されてなる二色成形品を従来手法にて製造する場合には、二色成形品の成形後に、一次成形体に一体化されたバリ状の非製品部分と、二次成形体に一体化されたバリ状の非製品部分の両方を、それらの成形体からそれぞれ除去するための面倒な作業を行わなければならず、それが、目的とする二色成形品の製作性の向上と製作コストの低下の妨げとなっていたのである。
【０００７】
【特許文献１】特開２００１−１５０４９１号公報
【発明の開示】
【発明が解決しようとする課題】
【０００８】
ここにおいて、本発明は、上述せる如き事情を背景にして為されたものであって、その解決課題とするところは、有色の一次成形体に対して、無色透明な二次成形体が意匠面とは反対側の面において一体的に接合されてなる二色成形品を、ゲート跡による意匠性の低下を防止しつつ、優れた製作性をもって、経済的に有利に製造し得る二色成形品の製造手法を提供することにある。
【課題を解決するための手段】
【０００９】
そして、本発明にあっては、かかる課題の解決のために、その要旨とするところは、第一の樹脂材料を用いた一次成形により形成される有色の一次成形体と、第二の樹脂材料を用いた二次成形により形成されて、該一次成形体に対して、意匠面とは反対側の面において一体的に接合される無色透明な二次成形体とからなる二色成形品の製造方法であって、（ａ）前記一次成形体を与える一次成形キャビティを形成すると共に、該一次成形キャビティの内面からなるキャビティ面のうちで、該一次成形体の前記二次成形体との接合面を形成するキャビティ面部分において開口して、該一次成形キャビティに連通する第一のゲートを、ピンゲートの形態において形成する工程と、（ｂ）前記第一の樹脂材料として、光不透過の有色の樹脂材料を用い、かかる第一の樹脂材料を、溶融状態で、前記第一のゲートを通じて、前記一次成形キャビティ内に射出充填して、該一次成形キャビティ内で前記一次成形体を形成する工程と、（ｃ）前記二次成形体を与える二次成形キャビティを、前記一次成形体が内部に収容された状態で形成すると共に、該二次成形キャビティの内面からなるキャビティ面のうちで、該二次成形体の前記意匠面とは異なる面を形成するキャビティ面部分において開口して、該二次成形キャビティに連通する第二のゲートを形成する工程と、（ｄ）前記第二の樹脂材料として、前記第一の樹脂材料よりも溶融状態での流動性の高い樹脂材料を用い、かかる第二の樹脂材料を、溶融状態で、前記第二のゲートを通じて、前記二次成形キャビティ内に射出充填して、該二次成形キャビティ内で前記二次成形体を形成すると共に、該二次成形キャビティ内に収容された前記一次成形体に対して、該二次成形体を一体的に接合する工程とを含むことを特徴とする二色成形品の製造方法にある。
【００１０】
なお、この本発明に従う二色成形品の製造手法の好ましい態様の一つによれば、前記一次成形体が、光不透過の有色の枠体にて構成され、且つ前記二次成形体が、該枠体の開口部の全体を覆いつつ、該枠体の開口部の周縁部に一体的に接合される無色透明な被覆体にて構成される。
【発明の効果】
【００１１】
すなわち、このような本発明に従う二色成形品の製造手法においては、第二のゲートが、二次成形キャビティのキャビティ面のうちで、二次成形体の意匠面とは異なる面を形成するキャビティ面部分において開口するように設けられるため、ゲート跡が、二次成形体に対して、その意匠面とは異なる面に形成されるようになる。これによって、二次成形体に形成されるゲート跡が二色成形品の意匠面に露呈せしめられることが、有利に皆無ならしめられ、以て、二色成形品の意匠性が、二次成形体に形成されるゲート跡にて損なわれることが、効果的に防止され得る。
【００１２】
また、本発明に係る二色成形品の製造手法にあっては、特に、第一のゲートが、一次成形キャビティのキャビティ面のうちで、無色透明な二次成形体に対する一次成形体の接合面を形成するキャビティ面部分において開口するように設けられ、そして、そのような第一のゲートを通じて、光不透過の有色の第一の樹脂材料が一次成形キャビティ内に射出充填されることで、光不透過の有色の一次成形体が形成されるようになっている。そのため、かかる本発明手法によって得られた二色成形品では、一次成形体の二次成形体との接合面にゲート跡が形成されるものの、二色成形品を二次成形体の意匠面側から見た際に、入射角が二次成形体の臨界角を超える大きさである場合には、光が全反射されるところから、一次成形体の接合面に形成されたゲート跡が、透明な二次成形体を通じて視認されることがない。また、入射角が二次成形体の臨界角以下の大きさである場合には、意匠面側からの光が二次成形体を透過するものの、一次成形体が光不透過であるために、二色成形品の背後からの光が一次成形体を透過して、意匠面側に漏れ出すことがなく、それ故、一次成形体の接合面に形成されたゲート跡が、透明な二次成形体を通じて、極めて見難くなっている。これによって、二色成形品の意匠性が、一次成形体の接合面に形成されたゲート跡にて損なわれることも、効果的に防止され得る。
【００１３】
さらに、本発明手法においては、一次成形体の二次成形体との接合面を形成するキャビティ面部分において開口するように形成された第一のゲートが、ピンゲートの形態を有しているところから、一次成形から二次成形に移行するときに、一次成形体に一体化された状態で残される非製品部分を切除する、所謂ゲートカットが、そのためだけに人手を掛けた特別な作業を何等行うことなく、一次成形体を成形する成形金型の型開きと同時に実施され得る。そのため、最終的に得られる二色成形品において、第一のゲートや、それに連通するゲートランド、ランナ、スプルー等の内部で固化せしめられた大きなバリ状の非製品部分が、一次成形体に一体化されたまま残されることが、効果的に回避され得る。そして、その結果として、二色成形品の成形後に、一次成形体に一体化されたバリ状の非製品部分を二色成形品から切除するための面倒なゲートカット作業を行う必要が有利に解消され、以て、目的とする二色成形品の作業工程の簡略化と作業コストの削減とが、有効に図られ得る。
【００１４】
しかも、本発明手法では、第二の樹脂材料として、第一の樹脂材料よりも、同一温度及び同一圧力下で流動性の高い樹脂材料が用いられている。このため、第二の樹脂材料の二次成形キャビティ内への射出時に、溶融状態とされた第二の樹脂材料から、一次成形体の二次成形体との接合面に作用せしめられる流動圧が有利に小さく為され、それにより、そのような流動圧に応じて、一次成形体の接合面において生ずるずり応力が、効果的に低く抑えられ得る。その結果、二次成形時に、一次成形体を構成する第一の樹脂材料の一部が第二の樹脂材料中に溶け込んで、二次成形体内部に滲み部分が生ずるようなことが、可及的に回避され得る。
【００１５】
さらに、第二の樹脂材料が第一の樹脂材料よりも高い流動性を有しているため、一次成形から二次成形への移行時での型開きに伴うゲートカットにより、一次成形体の二次成形体との接合面に一体化された状態で残された小さなバリ状の非製品部分が、二次成形時に、一次成形体の接合面上を流動する第二の樹脂材料と接触せしめられる。このとき、第二の樹脂材料のバリ状非製品部分との接触により生ずる剪断発熱によって、バリ状非製品部分の先端に存在する凹凸部分が溶融し、それによって、バリ状非製品部分の先端面が可及的に平滑化され得る。その結果、バリ状非製品部分の先端に存在する凹凸部分によって、バリ状非製品部分の先端部分が白色化することも、有利に解消され得、以て、白色化したバリ状非製品部分の先端部分が、透明な二次成形体を通じて視認されることで、二色成形品の意匠性が低下することも、未然に防止され得る。
【００１６】
従って、かくの如き本発明に従う二色成形品の製造手法によれば、有色の一次成形体に対して、無色透明な二次成形体が意匠面とは反対側の面において一体的に接合されてなる二色成形品を、ゲート跡や滲み部分により意匠性が損なわれることのない良好な外観と、優れた製作性とをもって、経済的に有利に製造することが出来るのである。
【発明を実施するための最良の形態】
【００１７】
以下、本発明を更に具体的に明らかにするために、本発明に係る二色成形品の製造方法の構成について、図面を参照しつつ、詳細に説明することとする。
【００１８】
先ず、図１及び図２には、本発明手法に従って製造された二色成形品の一実施形態として、自動車のインストルメントパネルに取り付けられる液晶表示部のカバーが、その正面形態と縦断面形態とにおいて、それぞれ概略的に示されている。それらの図からも明らかなように、本実施形態のカバー１０は、一次成形体たる矩形状の枠体１２と、全体として、枠体１２と同一大きさの矩形平板からなる被覆体１４とを有している。そして、被覆体１４が、枠体１２に対して、その開口部１５（窓部）の全体を被覆しつつ、かかる開口部１５の周縁部を形成する、枠体１２の厚さ方向一方の面からなる接合面１６に重ね合わされた状態で、一体的に接合されて、構成されている。また、このような枠体１２と被覆体１４との一体接合品からなるカバー１０では、被覆体１４の枠体１２側とは反対側の表面が、外部に露呈せしめられる意匠面１７とされている。
【００１９】
そして、ここでは、カバー１０を構成する枠体１２が、光不透過の黒色を呈するポリカーボネート樹脂を用いて形成されている一方、被覆体１４が、無色透明のポリカーボネート樹脂を用いて形成されている。なお、被覆体１４を形成するポリカーボネート樹脂には、枠体１２を形成するポリカーボネート樹脂よりも、同一温度と同一圧力の条件下で、溶融状態での流動性の高いものが、用いられている。
【００２０】
ところで、このようなカバー１０は、例えば、以下の如き手順に従って、製造されることとなる。
【００２１】
すなわち、先ず、枠体１２が射出成形により形成されるのであるが、それには、図３に示される如き固定型１８と第一可動型１９とが、準備される。ここで準備される固定型１８は、矩形の厚肉平板形状を呈する固定盤２０と、矩形のブロック形状を呈する固定側パッド２２とを有している。また、第一可動型１９も、矩形の厚肉平板形状を呈する第一可動盤２４と、矩形のブロック形状を呈する第一可動側パッド２６とを有している。そして、それら第一可動型１９と固定型１８は、第一可動側パッド２６の下面と固定側パッド２２の上面とを、上下方向において互いに対向させるように位置せしめられている。
【００２２】
また、固定型１８の固定側パッド２２においては、第一可動型１９の第一可動側パッド２６との対向面に、固定型側キャビティ形成凹所２７が、設けられている。なお、この固定型側キャビティ形成凹所２７は、その内面形状が、目的とするカバー１０の枠体１２の外面形状に対応した形状とされている。
【００２３】
一方、第一可動型１９の第一可動盤２４には、図示しない射出成形機のノズルに接触せしめられる第一スプルーブッシュ２８が、かかるノズルから射出される溶融樹脂が流動せしめられる第一スプルー３０を有して、位置固定に設けられている。
【００２４】
また、第一可動型１９の第一可動側パッド２６においては、第一可動盤２４に設けられた第一スプルーブッシュ２８と接触する部分とは異なる部分に、上下方向に延びる第二スプルーブッシュ３２が、位置固定に設けられている。更に、この第二スプルーブッシュ３２には、上下方向に延びる第二スプルー３４と、かかる第二スプルー３４に対して、その下側開口部を通じて連通するゲートランド３６とが、第二スプルーブッシュ３２を上下方向に貫通するように設けられている。そして、ここでは、このゲートランド３６の内周面が、下方に向かって次第に小径化するテーパ筒形状とされて、その下側開口部が、十分に小さな開口面積を有する、第一のゲートとしてのピンゲート３８とされている。また、このような第一可動型１９においては、第一可動盤２４との接触面において開口するランナ４０が設けられ、このランナ４０を通じて、第二スプルーブッシュ３２の第二スプルー３４が、第一可動盤２４に設けられた第一スプルーブッシュ２８の第一スプルー３０と連通せしめられている。
【００２５】
そして、かかる第一可動型１９が取り付けられる第一可動盤２４が、図示しない公知の油圧機構等により、固定型１８との対向方向の上下両方向に移動せしめられるのに伴って、第一可動型１９が、第一可動盤２４と共に、それと同一方向に一体移動せしめられて、固定型１８に対して接近／離隔移動し得るようになっている。また、ここでは、第一可動盤２４が、一軸回りに回転せしめられる、図示しない公知のロータリーテーブルに固設され、更に、このロータリーテーブルには、後述する第二可動型（４８）が取り付けられる第二可動盤（５０）が、第一可動盤２４と左右方向に並んで位置するように固設されている。これによって、ロータリーテーブルが１８０°回転せしめられる毎に、固定型１８の鉛直上方に、第一可動型１９と第二可動型（４８）とが、交互に位置せしめられるようになっている（図８参照）。
【００２６】
而して、かくの如き構造を有する固定型１８と第一可動型１９とを用いて、枠体１２を形成するには、先ず、固定型１８の鉛直上方に、第一可動型１９が位置せしめられた状態で、第一可動型１９が固定型１８に接近移動せしめられることにより、図４に示されるように、それら第一可動型１９と固定型１８とが型合せされる。
【００２７】
これにより、固定型１８の固定型側キャビティ形成凹所２７が、第一可動型１９の下面（固定型１８の固定側パッド２２と対向する第一可動側パッド２６の下面）の一部と、第二スプルーブッシュ３２の下端面とにて閉塞せしめられて、それら第一可動型１９と固定型１８との間に、枠体１２に対応した形状を有する一次成形キャビティ４２が形成される。換言すれば、枠体１２の上面からなる接合面１６を形成するキャビティ面部分が、第一可動型１９の下面の一部と第二スプルーブッシュ３２の下端面とにて形成されると共に、枠体１２の接合面１６を除く下面や内外周面を形成するキャビティ面部分が、固定型側キャビティ形成凹所２７の内面にて形成されて、それらのキャビティ面を内面とする一次成形キャビティ４２が、形成される。
【００２８】
かくして、第一可動型１９と固定型１８との型合せを行う本工程において、一次成形キャビティ４２が形成されると同時に、かかる一次成形キャビティ４２に連通する第一のゲートとしてのピンゲート３８が、枠体１２の接合面１６を形成するキャビティ面部分において開口した状態で、形成される。
【００２９】
次に、図５に示されるように、枠体１２を与える、光不透過の黒色を呈するポリプロピレン等の第一の樹脂材料４４が、溶融状態下で、図示しない射出成形機のノズルから射出されて、第一スプルー３０、ランナ４０、第二スプルー３４、ゲートランド３６、及びピンゲート３８を通じて、一次成形キャビティ４２内に充填される。かくして、一次成形体たる枠体１２を形成するための一次成形が実施される。
【００３０】
その後、図６に示されるように、第一の樹脂材料４４の半溶融状態下で、第一可動型１９と固定型１８とが型開きされる。このとき、半溶融状態の第一の樹脂材料４４からなる枠体１２が、固定型１８の固定型側キャビティ形成凹所２７内に保持される。また、ここでは、一次成形キャビティ４２と連通するゲートとして、ピンゲート３８が採用されているため、枠体１２に対する特別なゲートカット作業を何等実施することなく、固定型１８の型開きと同時にゲートカットが行われる。
【００３１】
それ故、ここでは、図７に示される如く、第一可動型１９と固定型１８の型開き後に、枠体１２の接合面１６に不可避的に残存するバリ状の非製品部分４６の大きさが、例えば、ピンゲート３８の代わりにサイドゲートが採用される場合よりも十分に小さくされる。しかしながら、その一方で、かかる非製品部分４６を、その途中で引き千切るようにしてゲートカットが行われるところから、枠体１２の接合面１６に残存する非製品部分４６の先端面が、不可避的に微細な凹凸形状とされる。そのため、枠体１２の全体が黒色とされるものの、非製品部分４６の先端部分が白色化された状態となる場合がある。
【００３２】
次に、前記せるように、図示しないロータリーテーブルが１８０°回転せしめられることにより、図８に示される如く、第一可動型１９に代えて、第二可動型４８が、固定型１８の鉛直上方に、固定型１８と離間して位置せしめられる。この第二可動型４８は、矩形の厚肉平板形状を呈する第二可動盤５０と、矩形のブロック形状を呈する第二可動側パッド５２とを有している。
【００３３】
また、第二可動型４８の第二可動盤５０には、図示しない射出成形機のノズルに接触せしめられる第三スプルーブッシュ５４が、かかるノズルから射出される溶融樹脂が流動せしめられる第三スプルー５６を有して、位置固定に設けられている。
【００３４】
さらに、第二可動型４８の第二可動側パッド５２には、それを上下方向に貫通して延びる第四スプルー５８が、上側開口部において、第三スプルーブッシュ５４の第三スプルー５６に連通するように設けられている。また、第二可動側パッド５２の下面（固定型１８の固定側パッド２２との対向面）には、可動型側キャビティ形成凹所６０とランナ形成凹所６２とが、互いに連通する状態で形成されている。なお、この可動型側キャビティ形成凹所６０は、その内面形状が、目的とするカバー１０の被覆体１４の外面形状に対応した形状とされている。また、ランナ形成凹所６２の底面には、第四スプルー５８の下側開口部が形成され、更に、このランナ形成凹所６２が、可動型側キャビティ形成凹所６０の側面において、可動型側キャビティ形成凹所６０内に向かって開口せしめられている。
【００３５】
そして、図９に示されるように、上記の如き構造を有する第二可動型４８が、公知の油圧機構等（図示せず）により、固定型１８に接近移動せしめられて、それら第二可動型４８と固定型１８とが型合せされる。
【００３６】
これにより、第二可動型４８の可動型側キャビティ形成凹所６０が、固定型１８の上面（第二可動型４８の第二可動側パッド５２と対向する固定側パッド２２の上面）の一部と、固定型１８の固定型側キャビティ形成凹所２７内に収容、保持された枠体１２の接合面１６とにて閉塞せしめられて、それら第二可動型４８と固定型１８との間に、枠体１２が内部に収容された、被覆体１４に対応した形状を有する二次成形キャビティ６４が形成される。換言すれば、被覆体１４（カバー１０）の意匠面１７を形成するキャビティ面部分が、可動型側キャビティ形成凹所６０の底面にて形成されると共に、被覆体１４の意匠面１７とは反対側の面とそれらの面を除く被覆体１４の側面を形成するキャビティ面部分が、固定型１８の上面の一部と可動型側キャビティ形成凹所６０の側面とにて形成されて、それらのキャビティ面を内面とする二次成形キャビティ６４が形成される。
【００３７】
また、ランナ形成凹所６２も、固定型１８の上面の一部にて閉塞せしめられて、第二可動型４８と固定型１８との間に、第四スプルー５８と連通する一方、可動型側キャビティ形成凹所６０の側面において開口して、二次成形キャビティ６４に連通するランナ６６が形成される。
【００３８】
かくして、第二可動型４８と固定型１８との型合せを行う本工程において、枠体１２が内部に収容された二次成形キャビティ６４が形成されると同時に、そのような二次成形キャビティ６４に連通する第二のゲート６８が、被覆体１４の意匠面１７とは異なる側面を形成するキャビティ面部分において開口した状態で、ランナ６６の二次成形キャビティ６４への開口部により、サイドゲートの形態をもって、形成されることとなる。
【００３９】
次に、図１０に示されるように、被覆体１４を与える、無色透明のポリプロピレン等の第二の樹脂材料７０が、溶融状態下で、図示しない射出成形機のノズルから射出されて、第三スプルー５６、第四スプルー５８、ランナ６６、及び第二のゲート６８を通じて、二次成形キャビティ６４内に充填される。これによって、二次成形体たる被覆体１４を形成するための二次成形が実施される。
【００４０】
なお、本工程では、第二の樹脂材料７０として、枠体１２を与える第一の樹脂材料４４よりも、同一温度と同一圧力の条件下において、溶融状態での流動性が高いもの、つまり、例えば、メルトフローインデックスの値が、第一の樹脂材料４４よりも大きな値とされたものが、用いられる。
【００４１】
そのため、溶融状態とされた第二の樹脂材料７０が、二次成形キャビティ６４内を流動する際に、二次成形キャビティ６４内に収容されて、二次成形キャビティ６４のキャビティ面の一部を構成する枠体１２の接合面１６に対して、第二の樹脂材料７０から作用される流動圧が有利に小さく為され、それにより、そのような流動圧に応じて、枠体１２の接合面１６で生ずるずり応力が、効果的に低く抑えられ得るようになる。その結果、被覆体１４を形成する二次成形時に、枠体１２を構成する第一の樹脂材料４４の一部が第二の樹脂材料７０中に溶け込んで、被覆体１４における枠体１２の接合面１６との接合部位等に、滲み部分が生ずるようなことが、可及的に回避され得ることとなる。
【００４２】
また、本工程では、第一の樹脂材料４４よりも流動性の高い第二の樹脂材料７０が、二次成形キャビティ６４内で、枠体１２の接合面１６上を流動せしめられる際に、かかる接合面１６に残存する小さなバリ状の非製品部分４６と接触せしめられる。このとき、第二の樹脂材料７０の非製品部分４６との接触により生ずる剪断発熱によって、非製品部分４６の先端面を白色化させる恐れのある凹凸部分が溶融して、かかる先端面が可及的に平滑化される。その結果、非製品部分４６の先端面が、白色化された状態となることが、有利に解消され得る。
【００４３】
引き続いて、図１１に示されるように、二次成形キャビティ６４内で、そこに収容保持される枠体１２が完全に冷却固化せしめられると共に、射出充填された第二の樹脂材料７０が冷却固化せしめられることによって、無色透明な被覆体１４が形成されると同時に、この被覆体１４が、全体が光不透過の黒色とされた枠体１２の接合面１６に接合され、以て、それら枠体１２と被覆体１４とが一体化されてなる一体成形品７２が成形される。そして、第二可動型４８と固定型１８とが型開きされて、成形された一体成形品７２が離型せしめられる。なお、ここで成形される一体成形品７２においては、枠体１２の接合面１６に存在する小さなバリ状の非製品部分４６が、被覆体１４の枠体１２との接合部分の内部に埋入せしめられた状態となるものの、第三及び第四スプルー５６，５８内やランナ６６内で固化せしめられた大きな塊状の非製品部分７４が、被覆体１４の意匠面１７とは異なる側面部分に一体化された状態で、存在せしめられる。
【００４４】
そのため、一体成形品７２が離型せしめられた後、かかる一体成形品７２に対して、被覆体１４の側面部分に一体化された大きな塊状の非製品部分７４を切除するゲートカット作業が、公知の手法に従って実施される。そうして、図１及び図２に示される如き目的とするカバー１０が、得られることとなるのである。
【００４５】
このように、本実施形態においては、二色射出成形によって成形された枠体１２と被覆体１４との一体成形品７２に対して、枠体１２に一体化される非製品部分４６を切除するゲートカット作業を何等行うことなく、単に、被覆体１４に一体化する非製品部分７４を切除するゲートカット作業のみを行うだけで、目的とするカバー１０が得られるようになる。それ故、二色射出成形後の仕上げ作業が有利に簡略化されて、かかる仕上げ作業に要されるコストも低減せしめられ、以て、カバー１０の製作性の向上と製作コストの削減とが、効果的に図られ得るのである。
【００４６】
また、本実施形態では、被覆体１４の意匠面１７とは異なる側面部分に、非製品部分７４が存在せしめられるようになるため、そのような非製品部分７４を切除するゲートカット作業によって不可避的に残存するゲート跡が、被覆体１４の意匠面１７とは異なる側面部分に形成される。そのため、被覆体１４に形成されるゲート跡が、カバー１０の意匠面に露呈せしめられることが有利に回避され、以て、カバー１０の意匠性が、被覆体１４のゲート跡にて損なわれることが、効果的に防止され得る。
【００４７】
さらに、本実施形態においては、枠体１２の接合面１６に、小さなバリ状の非製品部分４６が存在せしめられて、この非製品部分４６が、被覆体１４の枠体１２との接合部分の内部に埋入せしめられた状態とされるものの、カバー１０が、被覆体１４の意匠面１７側から観察された際に、入射角が被覆体１４の臨界角を超える大きさである場合には、光が全反射されて、枠体１２の接合面１６に存在する非製品部分４６が、透明な被覆体１４を通じて視認されることがない。また、入射角が被覆体１４の臨界角以下の大きさであっても、意匠面１７側からの光が被覆体１４を透過するものの、枠体１２が光不透過の黒色とされているため、枠体１２の背後からの光が枠体１２を透過して、被覆体１４の意匠面側に漏れ出すことがなく、それ故、枠体１２の接合面１６に存在する非製品部分４６を、透明な被覆体１４を通じて視認することが、極めて困難となっている。そして、それによって、カバー１０の意匠性が、枠体１２の接合面１６に存在する非製品部分４６にて損なわれることも、効果的に防止され得る。
【００４８】
しかも、本実施形態においては、被覆体１４を形成する二次成形時に、枠体１２の接合面１６に存在する非製品部分４６の先端面の凹凸部分が消失せしめられることで、かかる先端面の白色化の懸念が解消されるだけでなく、被覆体１４を与える第二の樹脂材料７０中への枠体１２を与える第一の樹脂材料４４の溶込みに起因した滲み部分が、被覆体１４の枠体１２との接合部分の内部に生ずることも、有利に回避され得る。それ故、枠体１２と被覆体１４との接合部分の内部に白色部分や滲み部分が存在せしめられることによって、カバー１０の意匠性が低下するようなことも、極めて効果的に防止され得る。
【００４９】
従って、かくの如き本実施形態によれば、黒色の枠体１２に対して、無色透明な被覆体１４が、その意匠面１７とは反対側の面において一体的に接合されてなるカバー１０が、所望の意匠性を有する良好な外観と、優れた製作性ををもって、経済的に有利に製造され得ることとなるのである。
【００５０】
以上、本発明の具体的な構成について詳述してきたが、これはあくまでも例示に過ぎないのであって、本発明は、上記の記載によって、何等の制約をも受けるものではない。
【００５１】
例えば、一次成形体としての枠体１２を形成する第一の樹脂材料４４や、二次成形体としての被覆体１４を形成する第二の樹脂材料７０は、それぞれの具体的な種類が、例示されたものに、何等限定されるものではなく、第一の樹脂材料４４には、光不透過の有色を呈する樹脂材料が、また、第二の樹脂材料７０には、第一の樹脂材料４４よりも、同一の温度と同一の圧力の条件下で、溶融状態での流動性が高い無色透明な樹脂材料が、公知の樹脂材料の中から、それぞれ適宜に選択されて、使用されることとなる。
【００５２】
また、枠体１２を与える一次成形キャビティ４２及びそれに連通する第一のゲートとしてのピンゲート３８を形成する固定型１８と第一可動型１９のそれぞれの構造や、被覆体１４を与える二次成形キャビティ６４及びそれに連通する第二のゲート６８を形成する固定型１８と第二可動型４８のそれぞれの構造も、例示のものに、特に限定されるものではない。
【００５３】
加えて、前記実施形態では、本発明を、自動車のインストルメントパネルに取り付けられる液晶表示部のカバーの製造方法に対して適用したものの具体例を示したが、本発明は、その他、有色の一次成形体に対して、無色透明な二次成形体が、その意匠面とは反対側の面において一体的に接合されてなる二色成形品の製造方法の何れに対しても、有利に適用され得るものであることは、勿論である。
【００５４】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【図面の簡単な説明】
【００５５】
【図１】本発明手法に従って製造された二色成形品の一例を示す正面説明図である。
【図２】図１におけるII−II断面説明図である。
【図３】図１に示された二色成形品を製造するに際して、一次成形体の成形に用いられる射出成形用金型の一例を示す縦断面説明図である。
【図４】図１に示された二色成形品を製造する際の一工程例を示す説明図であって、図３に示される射出成形用金型の内部に、二色成形品の一次成形体を与える一次成形キャビティを形成した状態を示している。
【図５】図４に示される工程に引き続いて実施される工程例を示す説明図であって、一次成形キャビティ内に、第一の樹脂材料を射出充填した状態を示している。
【図６】図５に示される工程に引き続いて実施される工程例を示す説明図であって、一次成形体を成形する射出成形用金型を型開きした状態を示している。
【図７】図６における VII部拡大説明図である。
【図８】図６に示される工程に引き続いて実施される工程例を示す説明図であって、二次成形体を成形する射出成形用金型を型開きして、配置した状態を示している。
【図９】図８に示される工程に引き続いて実施される工程例を示す説明図であって、二色成形品の二次成形体を与える二次成形キャビティを、その内部に一次成形体を収容配置せしめて形成した状態を示している。
【図１０】図９に示される工程に引き続いて実施される工程例を示す説明図であって、二次成形キャビティ内に、第二の樹脂材料を射出充填した状態を示している。
【図１１】図１０に示される工程に引き続いて実施される工程例を示す説明図であって、二次成形体を成形する射出成形用金型を型開きして、一次成形体と二次成形体との一体成形品を離型せしめた状態を示している。
【符号の説明】
【００５６】
１０  カバー                            １２  枠体
１４  被覆体                            １６  接合面
１７  意匠面                            １８  固定型
１９  第一可動型                        ３８  ピンゲート
４２  一次成形キャビティ                ４４  第一の樹脂材料
４６，７４  非製品部分                  ４８  第二可動型
６４  第二成形キャビティ                ６８  第二のゲート
７０  第二の樹脂材料                    ７２  一体成形品
【図１】
0004576403.tif 000002
【図２】
0004576403.tif 000003
【図３】
0004576403.tif 000004
【図４】
0004576403.tif 000005
【図５】
0004576403.tif 000006
【図６】
0004576403.tif 000007
【図７】
0004576403.tif 000008
【図８】
0004576403.tif 000009
【図９】
0004576403.tif 000010
【図１０】
0004576403.tif 000011
【図１１】
0004576403.tif 000012